(57)【要約】本発明は、固定保持装置（２，３１１）によって２つの保管手段および／または搬送手段を連結するための装置（１）に関する。ただ一つの操作装置（３００）の使用により、固定保持装置（２，３１１）と揺動装置（２６，１２６，１２６）を交互に（すなわち、同時にでなく）駆動可能である。例えば駆動軸（３０１）を９０°回転させることによって、連結された２個の容器の接続短管（１０，１００，１００′）を固定保持装置（２，３１１）を介してロック位置に配し互いに動かぬようにロックできる。これにより、接続短管の分離が不可能になると共に、接続短管（１０，１００，１００′）内の閉鎖フラップ（２０，１２０）によって接続短管（１０，１００，１００′）が互いに確実にシールされる。続いて駆動軸を９０°から１８０°に更に回転することによって、閉鎖フラップ（２０，１２０）が揺動装置（２６，１２６，１２６）を介して開放され、製品の詰め替えが可能となる。駆動軸を逆回転して１８０°から９０°に戻すことにより、閉鎖フラップ（２０，１２０）は再び閉鎖され、更に９０°から０°に逆回転することにより、接続短管（１０，１００，１００′）は再び互いに分離可能となる。
2004507416.tif 000002
【特許請求の範囲】
【請求項１】
第１の端部の第１の接続短管内に第１の閉鎖フラップを備えた第１の保管手段および／または搬送手段から、第２の端部の第２の接続短管内に第２の閉鎖フラップを備えた第２の保管手段および／または搬送手段に製品を移送するために、揺動装置と固定保持装置を使用して、容器、コンテナ、管および／またはその類似物の形をした２つの保管手段および／または搬送手段を連結するための装置であって、この揺動装置と固定保持装置によって、両閉鎖フラップが閉鎖位置からロック位置と開放位置に移動可能であり、かつ開放位置からロック位置と閉鎖位置に移動可能であり、前記閉鎖位置において第１の閉鎖フラップが第１の端部の第１の保管手段および／または搬送手段を大気に対して密封閉鎖し、第２の閉鎖フラップが第２の端部の第２の保管手段および／または搬送手段を大気に対して密封閉鎖し、両閉鎖フラップおよび／または両接続短管が相対的に動くことができ、前記ロック位置において両閉鎖フラップおよび／または両接続短管が互いに固定連結され、前記開放位置において閉鎖フラップおよび／または接続短管が互いに固定連結され、第１の保管手段および／または搬送手段から第２の保管手段および／または搬送手段への、製品用の少なくとも１つの流通開口が開放している、上記装置において、操作装置（３００，３０１，３０２，３０３，３０４，３０５，３０６，３０７，３１４，３１５，３１６）を備え、この操作装置によって、固定保持装置（２，３，１１）が閉鎖位置から両保管手段および／または搬送手段を互いにシールするロック位置への切換えのために駆動可能であり、そして揺動装置（２６，１２６，１２６′）が開放位置への移動およびそれに続く開放位置からロック位置への移動のために駆動可能であり、そして固定保持装置（２，３，１１）がロック位置から閉鎖位置への切換えのために駆動可能であることを特徴とする装置。
【請求項２】
操作装置が駆動軸（３０１）と少なくとも２本の出力軸（３０６，３１６）を有する伝動装置（３００，３０１，３０２，３０３，３０４，３０５，３０６，３０７，３１４，３１５，３１６）を備え、両出力軸（３０６，３１６）が駆動軸（３０１）によって交互に駆動可能であることを特徴とする請求項１記載の装置。
【請求項３】
固定保持装置（２，３，１１）が一方では第１の出力軸（３０６）に、他方では両接続短管（１０，１００，１００′）に作用連結され、固定保持装置（２，３，１１）が好ましくは第１の接続短管（１０）と第２の接続短管（１００，１００′）の間の接続部材（２）を備え、この接続部材が特に少なくとも１個の差込み継手（３，１１）を介して両接続短管（１０，１００，１００′）を互いにロックまたはロック解除するために、第１の軸線回りに回転可能であることを特徴とする請求項２記載の装置。
【請求項４】
揺動装置（２６，１２６，１２６′）が一方では第２の出力軸（３１６）に作用連結され、他方では第２の軸線回りに閉鎖フラップ（２１，１２１，１２１′）を回転させるために両閉鎖フラップ（２１，１２１，１２１′）の少なくとも一方に作用連結され、揺動装置が好ましくは２本の半軸（２６，１２６，１２６′）を備え、第１の半軸（２６）が第１の閉鎖フラップ（２１）に固定連結され、第２の半軸（１２６，１２６′）が第２の閉鎖フラップ（１２１，１２１′）に固定連結されていることを特徴とする請求項２または３記載の装置。
【請求項５】
閉鎖フラップ（２１，１２１，１２１′）および／または接続短管（１０，１００，１００′）が少なくとも部分的に互いに固定連結されているロック位置と閉鎖位置との間および／または開放位置とロック位置との間で、清掃位置において大気と製品に対して閉じた清掃室（４００）を画成するために、閉鎖フラップ（２１，１２１，１２１′）が少なくとも領域的に互いに離隔可能であることを特徴とする請求項１〜４のいずれか一つに記載の装置。
【請求項６】
接続部材（２）が少なくとも１個の突起または少なくとも１つの凹部（３）を備え、接続部材（２）の各々の突起または各々の凹部（３）がロック位置で第１の接続短管（１０）および／または第２の接続短管の凹部または突起（１１）に固定係合し、特に開放位置とロック位置の間で接続部材（２）を第１の軸線回りに回転させることによって閉鎖フラップ（２１，１２１，１２１′）を互いに離れるように動かすかあるいは特に閉鎖位置とロック位置の間で閉鎖フラップを互いに近づくように動かすために、好ましくは接続部材（２）または接続短管の各々の突起（１１）または各々の凹部が少なくとも領域的に第１の軸線に対して角度をなしていることを特徴とする請求項３〜５のいずれか一つに記載の装置。
【請求項７】
第１の閉鎖フラップ（２１）が少なくとも１つの凹部（２３）および／または隆起部を有する第１の端面（２２）を備え、第２の閉鎖フラップ（１２１）が第１の端面（２２）に対応する第２の端面（１２２）を備え、両端面（２１，１２１）が少なくとも開放位置で互いに封隙的に接触し、好ましくは清掃位置において端面（２２，１２２′）が少なくとも凹部（２３）および／または隆起部の範囲において互いにシールされ、清掃室（４００）がほぼリング状であることを特徴とする請求項１〜６のいずれか一つに記載の装置。
【請求項８】
開放位置において流通開口（２００，２００′）を拡大するために、第１の閉鎖フラップ（２１）が第１の端面（２２）と反対側に少なくとも１つの第１の凹部（２４）を備え、および／または第２の閉鎖フラップ（１２１，１２１′）がその第２の端面（１２２，１２２′）と反対側に少なくとも１つの第２の凹部（１２４，１２４′）を備え、好ましくは第１の凹部（２４）および／または第２の凹部（１２４，１２４′）がほぼ球面状の切欠部であることを特徴とする請求項１〜７のいずれか一つに記載の装置。
【請求項９】
開放位置において第１の閉鎖フラップ（２１）の少なくとも一部が第２の接続短管（１００）に係合し、および／または第２の閉鎖フラップ（１２１，１２１′）の少なくとも一部が第１の接続短管（１０）に係合していることを特徴とする請求項１〜８のいずれか一つに記載の装置。
【請求項１０】
第１の閉鎖フラップ（２１）および／または第２の閉鎖フラップ（１２１，１２１′）が、第１の接続短管（１０）および／または第２の接続短管（１００）の少なくとも１つの部分リング状の凹部（１２，１０２）に係合させるための少なくとも１個の部分リング状の突起（２７，１２７，１２７′）、好ましくは互いに向き合う部分円状の２個の突起を、第２の軸線に対して同心的に備えていることを特徴とする請求項９記載の装置。
【請求項１１】
第１の閉鎖フラップおよび／または第２の閉鎖フラップが、第１の接続短管および／または第２の接続短管の少なくとも１つの部分円状の凹部に係合させるための少なくとも１つの部分リング状の溝、好ましくは互いに向き合う部分円状の２つの溝を、第２の軸線に対して同心的に備えていることを特徴とする請求項９記載の装置。
【請求項１２】
第２の軸線が第１の軸線に対してほぼ垂直であることを特徴とする請求項４〜１１のいずれか一つに記載の装置。
【請求項１３】
第１の閉鎖フラップ（２１）がパッシブ弁（２０）の一部であり、第２の閉鎖フラップ（１２１，１２１′）がアクティブ弁（１２０）の一部であり、好ましくは第２の半軸（１２６）が第２の出力軸（３１６）に固定連結されていることを特徴とする請求項１〜１２のいずれか一つに記載の装置。
【請求項１４】
清掃装置を備え、清掃位置においてこの清掃装置を介して、流体清掃剤が閉鎖された清掃室内に供給可能であり、かつ清掃室から排出可能であることを特徴とする請求項５〜１３のいずれか一つに記載の装置。
【発明の詳細な説明】
【０００１】
【発明の属する技術分野】
本発明は、第１の端部の第１の接続短管内に第１の閉鎖フラップを備えた第１の保管手段および／または搬送手段から、第２の端部の第２の接続短管内に第２の閉鎖フラップを備えた第２の保管手段および／または搬送手段に製品を移送するために、揺動装置と固定保持装置を使用して、容器、コンテナ、管および／またはその類似物の形をした２つの保管手段および／または搬送手段を連結するための装置に関し、更に詳しくは、この揺動装置と固定保持装置によって、両閉鎖フラップが閉鎖位置からロック位置と開放位置に移動可能であり、かつ開放位置からロック位置と閉鎖位置に移動可能であり、前記閉鎖位置において第１の閉鎖フラップが第１の端部の第１の保管手段および／または搬送手段を大気に対して密封閉鎖し、第２の閉鎖フラップが第２の端部の第２の保管手段および／または搬送手段を大気に対して密封閉鎖し、両閉鎖フラップおよび／または両接続短管が相対的に動くことができ、前記ロック位置において両閉鎖フラップおよび／または両接続短管が互いに固定連結され、前記開放位置において閉鎖フラップおよび／または接続短管が互いに固定連結され、第１の保管手段および／または搬送手段から第２の保管手段および／または搬送手段への、製品用の少なくとも１つの流通開口が開放している、装置に係る。
【０００２】
【従来の技術】
このような装置は例えば英国特許第８８８，５４１号明細書によって公知である。この公知の装置の場合、接続短管が相対的に回転可能である。その際、接続短管を相対的に回転させることにより、差込み継手がロックまたはロック解除され、同時に閉鎖フラップが閉鎖位置から開放位置にあるいは開放位置から閉鎖位置に強制的に動かされる。それによって、ロック位置は開放位置と一致する。このようなロックは特に、閉鎖位置から開放位置への交代中またはその逆の間に、１個だけの差込み継手が使用されるので、閉鎖フラップが不意に互いに分離されるという欠点がある。更に、開放位置での製品移送または詰め替えの前および／または後で、大気および／または詰め替え製品の汚染を回避するための清掃がロック位置では不可能である。
【０００３】
更に、独国特許第１９５２０４０９号明細書によって、吹き付け兼吸い出し装置を備えた容器を連結する装置が公知である。この装置はそれによって行われる詰め替え工程の前および／または後で、閉鎖フラップの清掃を可能にする。その際、シールが使用される。このシールは、好ましくは１５ｍｍよりも小さい閉鎖フラップの間隔の場合に、閉鎖フラップの間にある空間、すなわち突き合わせ室を外部に対してシールする。この場合、突き合わせ室の軸受ブッシュの範囲がシールされないという欠点がある。閉鎖フラップの少なくとも一部に対する突き合わせ室のシールは、独国特許第２９９５９７３号明細書に記載されている。突き合わせ室に対してシールされた閉鎖フラップの間の中間室により、万一清掃によって粉塵が舞い上がっても、粉塵がシールされた上記の端面範囲に達することができず、同時に除去すべき粒子と清掃ガス、不活性ガス等のために吸い出し横断面積が小さくなり、それによって吸い出し流量が増大し、吸い出し出力が大きくなる。
【０００４】
【発明が解決しようとする課題】
そこで、本発明の課題は、技術水準の欠点を克服し、特に詰め替えのための流通開口の開放の前および流通開口の閉鎖の後で、閉鎖フラップおよび／または接続短管が互いに確実に密閉される、冒頭に述べた装置を改良することである。更に、特に閉鎖フラップの軸受の範囲の清掃を改善すべきである。
【０００５】
【課題を解決するための手段】
この課題は本発明に従い、操作装置を備え、この操作装置によって、固定保持装置が閉鎖位置から両保管手段および／または搬送手段を互いにシールするロック位置への切換えのために駆動可能であり、そして揺動装置が開放位置への移動およびそれに続く開放位置から外への移動のために駆動可能であり、そして固定保持装置がロック位置から閉鎖位置への切換えのために駆動可能であることによって解決される。
【０００６】
その際、操作装置が駆動軸と少なくとも２本の出力軸を有する伝動装置を備え、両出力軸が駆動軸によって交互に駆動可能であると有利である。
【０００７】
本発明の他の発展形態は、固定保持装置が一方では第１の出力軸に、他方では両接続短管に作用連結され、固定保持装置が好ましくは第１の接続短管と第２の接続短管の間の接続部材を備え、この接続部材が特に少なくとも１個の差込み継手を介して両接続短管を互いにロックまたはロック解除するために、第１の軸線回りに回転可能であることを特徴とする。
【０００８】
本発明によって更に、揺動装置が一方では第２の出力軸に作用連結され、他方では第２の軸線回りに閉鎖フラップを回転させるために両閉鎖フラップの少なくとも一方に作用連結され、揺動装置が好ましくは２本の半軸を備え、第１の半軸が第１の閉鎖フラップに固定連結され、第２の半軸が第２の閉鎖フラップに固定連結されていることが提案される。
【０００９】
本発明に従い、閉鎖フラップおよび／または接続短管が少なくとも部分的に互いに固定連結されているロック位置と閉鎖位置との間および／または開放位置とロック位置との間で、清掃位置において大気と製品に対して閉じた清掃室を画成するために、閉鎖フラップが少なくとも領域的に互いに離隔可能であると有利である。
【００１０】
本発明によって更に、接続部材が少なくとも１個の突起または少なくとも１つの凹部を備え、接続部材の各々の突起または各々の凹部がロック位置で第１の接続短管およびまたは第２の接続短管の凹部または突起に固定係合し、特に開放位置とロック位置の間で接続部材を第１の軸線回りに回転させることによって閉鎖フラップを互いに離れるように動かすかあるいは特に閉鎖位置とロック位置の間で閉鎖フラップを互いに近づくように動かすために、好ましくは接続部材または接続短管の各々の突起または各々の凹部が少なくとも領域的に第１の軸線に対して角度をなしていることが提案される。
【００１１】
更に、第１の閉鎖フラップが少なくとも１つの凹部および／または隆起部を有する第１の端面を備え、第２の閉鎖フラップが第１の端面に対応する第２の端面を備え、両端面が少なくとも開放位置で互いに封隙的に接触し、好ましくは清掃位置において端面が少なくとも凹部および／または隆起部の範囲において互いにシールされ、清掃室がほぼリング状であると有利である。
【００１２】
本発明の発展形態は更に、開放位置において流通開口を拡大するために、第１の閉鎖フラップが第１の端面と反対側に少なくとも１つの第１の凹部を備え、および／または第２の閉鎖フラップがその第２の端面と反対側に少なくとも１つの第２の凹部を備え、好ましくは第１の凹部および／または第２の凹部がほぼ球面状の切欠部であることを特徴とする。
【００１３】
更に、開放位置において第１の閉鎖フラップの少なくとも一部が第２の接続短管に係合し、および／または第２の閉鎖フラップの少なくとも一部が第１の接続短管に係合していると有利である。
【００１４】
その際、第１の閉鎖フラップおよび／または第２の閉鎖フラップが、第１の接続短管および／または第２の接続短管の少なくとも１つの部分リング状の凹部に係合させるための少なくとも１個の部分リング状の突起、好ましくは互いに向き合う部分円状の２個の突起を、第２の軸線に対して同心的に備えていることが提案される。
【００１５】
その代わりに、第１の閉鎖フラップおよび／または第２の閉鎖フラップが、第１の接続短管および／または第２の接続短管の少なくとも１つの部分円状の凹部に係合させるための少なくとも１つの部分リング状の溝、好ましくは互いに向き合う部分円状の２つの溝を、第２の軸線に対して同心的に備えていてもよい。
【００１６】
更に、第２の軸線は第１の軸線に対してほぼ垂直である。
【００１７】
本発明に従って更に、第１の閉鎖フラップはパッシブ弁の一部であり、第２の閉鎖フラップはアクティブ弁の一部であり、好ましくは第２の半軸が第２の出力軸に固定連結されている。
【００１８】
本発明による発展形態では、清掃装置を備え、清掃位置においてこの清掃装置を介して、液体清掃剤が閉鎖された清掃室内に供給可能であり、かつ清掃室から排出可能であることが提案される。
【００１９】
本発明は、１個の操作装置が使用され、固定保持装置と揺動装置が交互に（すなわち、同時ではなく）駆動可能であるので、例えば駆動軸を９０°以上回転させることによって２個の容器を連結した後で、容器の接続短管は固定保持装置を介してロック位置にもたらされて動かぬように互いにロックされ、それによって接続短管の分離が不可能になり一方、接続短管内の閉鎖フラップが接続短管および接続短管相互の密閉を行い、続いて詰め替えを可能にするために駆動軸を９０〜１８０°だけ更に回転させることによって閉鎖フラップが揺動装置を介して開放されるという予想されない認識に基づいている。駆動軸を１８０°から９０°に戻し回転することにより、閉鎖フラップは再び閉鎖され、９０°から０°に戻し回転することにより、接続短管は再び互いに分離される。接続短管が部分的にロックされた状態、すなわちほぼロック位置で、詰め替えの前と後で、接続短管と閉鎖フラップの端面の一部の間の範囲、すなわち大気と製品室に対してシールされすべての側が閉じた清掃室として形成され、接続短管のロックに基づいて不意に開放しないいわゆる突き合わせ室は、詰め替え製品および／または大気の汚染の危険なしに、清掃液体で清掃可能である。
【００２０】
【発明の実施の形態】
本発明の他の特徴と効果は、概略的な図に基づいて本発明の実施の形態を詳細に説明する次の記載から明らかである。
【００２１】
図１から分かるように、本発明による装置１は、図示していない第１の容器の第１の接続短管１０を含む。第１の容器が図示していない第２の容器に連結されるや否や、上記接続短管は接続部材すなわち接続リング２を介在して、第２の容器の第２の接続短管１００，１００′に支持される。この第２の接続短管は２つの部材から構成されている。両接続短管１０，１００，１００′には更に、２個の弁２０，１２０が支承されている。この場合、第１の弁２０をパッシブとし、第２の弁１２０をアクティブとすることができるので、第１の容器から第２の容器に至る流通開口２００，２００′を開閉するために伝動装置３００を用いてクティブ弁１２０だけをアクティブに操作することができる。
図２に示した清掃位置では、第２の接続短管１００，１００′が接続リング２を取り囲んでいる。この接続リングは更に第１の短管１０に作用しているので、接続短管１０，１００，１００′は互いに相対的に動くことができない。そのために、接続リング２は互いに向き合いかつ内周に沿って延びる２つの凹部３を有し、この凹部にはそれぞれ、第１の接続短管１０の突起１１が係合可能である。この場合、各々の突起１１は図４に示すように、第１の接続短管１０の外周に沿って少なくとも一部が曲げられた形で延びている。
【００２２】
第１の接続短管１０は更に、互いに向き合う２つの凹部１２を備えている。この凹部には、図２のロック位置で、パッシブ弁２０が係合している。パッシブ弁２０自体は閉鎖フラップ２１を備えている。この閉鎖フラップの端面２２には凹部２３が形成されている。閉鎖フラップは端面２２と反対側に、略球面状の切欠部である凹部２４を備えている。パッシブ弁２０は更に、第１の接続短管１０に対して閉鎖フラップシール２５によってシールされ、半軸２６に固定連結されている。パッシブ弁２０は凹部１２に係合させるための２個の突起２７を備えている。
【００２３】
同様に、アクティブ弁１２０は互いに向き合う２つの凹部１０２に係合することによって第２の接続短管１００内で支承されている。アクティブ弁１２０自体は閉鎖フラップ１２１を備えている。この閉鎖フラップの端面１２２から突起１２７が突出している。閉鎖フラップは端面１２２と反対側に、球面状の切欠部である凹部１２４を備えている。アクティブ弁１２０は更に、第２の接続短管１００に対して閉鎖フラップシール１２５を用いてシールされている。アクティブ弁１２０の閉鎖フラップ１２１は第２の半軸１２６に固定連結されている。更に、凹部１０２に係合させるための２個の突起１２７が図２に示すようにアクティブ弁１２０に設けられている。更に、両閉鎖フラップ２１，１２１の間において、図２に示すように隆起部１２８の一部が係合する凹部２３の範囲内に、他の閉鎖フラップシール１２９が設けられている。
【００２４】
代替的なアクティブ弁１２０′が図３に示してある。このアクティブ弁１２０′は平らな端面１２２′と、この端面１２２′と反対の側に設けられた略球面状の切欠部としての凹部１２４′とを有する閉鎖フラップ１２１を備えている。閉鎖フラップ１２１′は更に、片側に半軸１２６′を備え、この半軸の縦軸線と同心的に２個の半円状の突起１２７′が延びている。
【００２５】
伝動装置３００は図２に示すように駆動軸３０１を備え、この駆動軸はディスク３０２とピン３０３を備えている。このピンは第１の出力軸３０６を駆動するための凹部３０５を有するディスク３０４と、第２の出力軸３１６を駆動するための凹部３１５を有するディスク３１４に交互に作用する。第１の出力軸３０６は更に、ディスク３０７に連結されている。このディスクは接続リング２を回転させるためにこの接続リングに作用する。第２の出力軸３１６はアクティブ弁１２０を操作するために半軸１２６に繋がっている。
【００２６】
図２に示した清掃位置では、すべての側が閉じた清掃室４００が接続短管１０，１００と閉鎖キャップ２１，１２１の間に設けられている。
【００２７】
図を参照して構造を上述した装置は例えば次のように作動する。
【００２８】
先ず最初に、第１の接続短管１０がパッシブ弁２０と共に第２の接続短管１００，１００′と接続リング２に嵌め込まれる。この嵌込みは、第１の接続短管１０が閉鎖位置で第２の接続短管１００上に位置するまで行われる。
【００２９】
駆動軸３０１が図２の矢印Ａ方向に回転させられると、ピン３０３はディスク３０４の凹部３０５に係合し、上記の回転運動を第１の出力軸３０６に伝達する。第１の出力軸３０６はディスク３０７を用いて接続リング２を図２の矢印Ｂ方向に強制的に回転させる。それによって、第１の接続短管１０の突起１１は接続リング２の対応する凹部３に係合する。これにより、差込み継手のように接続短管１０，１００，１００′をロックする。第１の接続短管１０の突起１１が湾曲しているので、接続リング２が矢印Ｂ方向に回転するときに同時に、第１の接続短管１０が第２の接続短管１００の方に動く（下降する）。それによって、清掃室４００が形成される。この清掃室は図２に示すような清掃位置で、大気に対しても、閉鎖フラップシール１２９によってシールされた端面２２，１２２の間の範囲に対してもシールされている。そして、清掃室４００を清掃ガスまたは清掃液体で満たすことができる。それによって、シールされた端面範囲を汚さないで、すなわち残留物によって汚染されることなく、詰め替え工程から遠ざけることができる。上記の清掃の後で、駆動軸３０１は更に回転させられ、それによって同時に、第１の接続短管１０が第２の接続短管１００に対して更にロックされ、かつ更に下降させられる。このロックと下降は、閉鎖フラップ２１，１２１の端面２２，１２２がロック位置で互いに密封接触するまで行われる。
【００３０】
駆動軸３０１を更に回転させると、ピン３０３が凹部３０５から外れ、ディスク３１４の凹部３１５に係合する。それによって、矢印Ａ方向のそれ以降の回転運動が第２の出力軸３１６に伝達される。駆動軸３０１を更に回転させると、弁２０，１２０が図１に示した開放位置に回転する。この場合同時に、閉鎖フラップ２１の突起２７が第２の接続短管１００の凹部１０２に係合し、第２の閉鎖フラップ１２１の突起１２７が第１の接続短管１０の凹部１２に係合する。これにより、弁２０，１２０が接続短管１０，１００，１００′にロックされる。このロックにより、弁２０，１２０を開放位置で互いに分離することは不可能である。開放位置では、図示していない製品が流通開口２００，２００′を通って第１の容器から第２の容器に流れることができる。
【００３１】
製品の詰め替えが終了した後で、駆動装置３０１はその初期位置に、すなわち図２の回転方向Ａと反対方向に戻し回転させられる。この場合、第２の出力軸３１６の回転によって、閉鎖フラップ２１，１２１はその接続短管１０，１００内で、容器をシールするために互いにロック位置まで回転させられる。そして、ピン３０３が凹部３１５から外れて凹部３０５に係合し、それによって第１の出力軸３０６を介して接続リング２を清掃位置に回転させることができる。この清掃位置では、清掃室４００の新たな清掃が可能である。駆動軸３０１が初期位置に達すると、突起１１と凹部３の連結を分離することによって、ロックが解除される。従って、両容器は再び互いに分離可能である。
【００３２】
要約すると、本発明による装置では、駆動軸３０１を操作することにより、次の段階を順々に進むことができる。
１．接続短管１０，１００，１００′を互いにロックし、同時に清掃室４００を　シールする。
２．清掃位置で清掃室４００を清掃する。
３．ロック位置に達したときに清掃室４００を閉鎖する。
４．流通開口２００，２００′を開放し、同時に閉鎖フラップ２１，１２１を接　続短管１０，１００にロックする。
５．製品を第１の容器から第２の容器に詰め替える。
６．流通開口２００，２００′を閉鎖し、同時に閉鎖フラップ２１，１２１と接　続短管１０，１００の間のロックを解除する。
７．部分的にロックされた清掃位置で清掃室４００を開放する。
８．清掃室４００を清掃する。
９．清掃室を完全に開放し、同時に接続短管１０，１００，１００′の間のロッ　クを解除する。
【００３３】
上記、特許請求の範囲および図面に開示された本発明の特徴は、個別的にも任意のあらゆる組み合わせにおいても、本発明をいろいろな実施の形態で実施するために重要である。
【図面の簡単な説明】
【図１】
閉鎖フラップがその開放位置にある、本発明による装置の横断面図である。
【図２】
閉鎖フラップがその清掃位置にある、図１に示した装置の縦断面図である。
【図３】
図１，２の装置で使用可能な閉鎖フラップの斜視図である。
【図４】
図１，２の装置で使用可能な接続リングの部分図である。
【国際公開パンフレット】
2004507416.tif 000003
2004507416.tif 000004
2004507416.tif 000005
2004507416.tif 000006
2004507416.tif 000007
2004507416.tif 000008
2004507416.tif 000009
2004507416.tif 000010
2004507416.tif 000011
2004507416.tif 000012
2004507416.tif 000013
2004507416.tif 000014
2004507416.tif 000015
2004507416.tif 000016
2004507416.tif 000017
2004507416.tif 000018
2004507416.tif 000019
2004507416.tif 000020
【手続補正書】
【提出日】平成14年6月3日(2002.6.3)
【手続補正１】
【補正対象書類名】明細書
【補正対象項目名】０００３
【補正方法】変更
【補正の内容】
【０００３】
更に、独国特許第１９５２０４０９号明細書によって、吹き付け兼吸い出し装置を備えた容器を連結する装置が公知である。この装置はそれによって行われる詰め替え工程の前および／または後で、閉鎖フラップの清掃を可能にする。その際、シールが使用される。このシールは、好ましくは１５ｍｍよりも小さい閉鎖フラップの間隔の場合に、閉鎖フラップの間にある空間、すなわち突き合わせ室を外部に対してシールする。この場合、突き合わせ室の軸受ブッシュの範囲がシールされないという欠点がある。閉鎖フラップの少なくとも一部に対する突き合わせ室のシールは、独国特許第２９９５９７３号明細書に記載されている。突き合わせ室に対してシールされた閉鎖フラップの間の中間室により、万一清掃によって粉塵が舞い上がっても、粉塵がシールされた上記の端面範囲に達することができず、同時に除去すべき粒子と清掃ガス、不活性ガス等のために吸い出し横断面積が小さくなり、それによって吸い出し流量が増大し、吸い出し出力が大きくなる。
更に、ばら物のための２個の容器を連結するための装置が米国特許第５，６９０，１５２号明細書によって公知である。この装置は２個の接続短管と１個の固定保持装置を備えている。各々の接続短管はほぼ円形のシールで支持されたスロットル弁を備えている。この場合、スロットル弁は揺動駆動装置を介してアクティブに回転可能であり、パッシブの第２のスロットル弁に接触してこのパッシブの第２のスロットル弁を一緒に動かす。固定保持装置はシールに対して半径方向に移動可能な少なくとも１本のピンを備えている。このピンはスロットル弁の閉鎖位置で、スロットル弁を取り囲むシールを変形し、少なくとも１つのスロットル弁の開放を防止する。更に、装置はロック装置を備えている。このロック装置は両容器の接続の際に作用し、注ぎ込むときに接続短管の相互の分離を防止する。その際、固定保持装置とロック装置はレバーを介して操作人によって同時に作動させられるがしかし、揺動駆動装置とは別個に作動させられる。
【手続補正２】
【補正対象書類名】明細書
【補正対象項目名】０００４
【補正方法】変更
【補正の内容】
【０００４】
【発明が解決しようとする課題】
そこで、本発明の課題は、技術水準の欠点を克服し、特に詰め替えのための流通開口の開放の前および流通開口の閉鎖の後で、閉鎖フラップおよび／または接続短管が構造的に簡単にかつ互いに確実に密閉される、冒頭に述べた装置を改良することである。更に、特に閉鎖フラップの軸受の範囲の清掃を改善すべきである。


【手続補正３】
【補正対象書類名】明細書
【補正対象項目名】０００５
【補正方法】変更
【補正の内容】
【０００５】
【課題を解決するための手段】
この課題は本発明に従い、操作装置を備え、この操作装置によって、固定保持装置が閉鎖位置から両保管手段および／または搬送手段を互いにシールするロック位置への切換えのために駆動可能であり、そして揺動装置が開放位置への移動およびそれに続く開放位置から外への移動のために駆動可能であり、そして固定保持装置がロック位置から閉鎖位置への切換えのために駆動可能であることによって解決される。




【国際調査報告】
2004507416.tif 000021
2004507416.tif 000022
2004507416.tif 000023
2004507416.tif 000024
2004507416.tif 000025
2004507416.tif 000026